(57)【要約】【課題】  正当な所有者だけが特殊景品から交換品への交換を行うことができる特殊景品処理システムを提供する。【解決手段】  遊技結果に応じた特殊景品を発行する特殊景品発行装置１と、発行された特殊景品を交換品に交換する特殊景品交換装置とから構成される特殊景品処理システムにおいて、特殊景品発行装置１に設けられ、暗証番号が入力される利用客操作部２４と、特殊景品発行装置１に設けられ、利用客操作部２４から入力された暗証番号を、発行する特殊景品に書き込むＩＤタグリーダライタと、特殊景品交換装置に設けられ、暗証番号が入力される利用客操作部と、特殊景品交換装置に設けられ、投入された特殊景品に書き込まれた暗証番号を読み取るＩＤタグリーダと、特殊景品交換装置に設けられ、利用客操作部から入力された暗証番号とＩＤタグリーダが読み取った暗証番号とを照合し、暗証番号が一致した場合に交換品を排出する制御を行う主制御部とを設ける。【選択図】  図１
2006204363.tif 000002
【特許請求の範囲】
【請求項１】
遊技場内に設置され、遊技結果に応じた特殊景品を発行する発行装置と、景品交換所に設置され、発行された特殊景品を交換品に交換する交換装置とから構成される特殊景品処理システムにおいて、
前記発行装置に設けられ、暗証情報が入力される第１の入力手段と、
前記発行装置に設けられ、前記第１の入力手段から入力された暗証情報を、発行する特殊景品に書き込む書き込み手段と、
前記交換装置に設けられ、暗証情報が入力される第２の入力手段と、
前記交換装置に設けられ、投入された特殊景品に書き込まれた暗証情報を読み取る読み取り手段と、
前記交換装置に設けられ、前記第２の入力手段から入力された暗証情報と前記読み取り手段が読み取った暗証情報とを照合し、暗証情報が一致した場合に交換品を排出する制御を行う制御手段とを設けたことを特徴とする特殊景品処理システム。
【請求項２】
遊技場内に設置され、遊技結果に応じた特殊景品を発行する発行装置と、景品交換所に設置され、発行された特殊景品を交換品に交換する交換装置とから構成される特殊景品処理システムにおいて、
前記発行装置に設けられ、暗証情報が入力される第１の入力手段と、
前記発行装置に設けられ、前記第１の入力手段から入力された暗証情報と発行する特殊景品の価値情報を所定の形式で媒体に記録して発行する媒体記録手段と、
前記交換装置に設けられ、暗証情報が入力される第２の入力手段と、
前記交換装置に設けられ、投入された特殊景品に書き込まれた価値情報を読み取る第１の読み取り手段と、
前記交換装置に設けられ、前記媒体に記録された暗証情報と特殊景品の価値情報を読み取る第２の読み取り手段と、
前記交換装置に設けられ、前記第２の入力手段から入力された暗証情報と前記第２の読み取り手段が読み取った暗証情報とを照合すると共に、前記第１の読み取り手段が読み取った価値情報と前記第２の読み取り手段が読み取った価値情報とを照合し、暗証情報と価値情報のいずれも一致した場合に交換品を排出する制御を行う制御手段とを設けたことを特徴とする特殊景品処理システム。
【請求項３】
前記所定の形式はバーコード形式である請求項２記載の特殊景品処理システム。
【発明の詳細な説明】
【技術分野】
【０００１】
本発明は、遊技場内に設置され、遊技結果に応じた特殊景品を発行する発行装置と、景品交換所に設置され、発行された特殊景品を交換品に交換する交換装置とから構成される特殊景品処理システムに関する。
【背景技術】
【０００２】
従来、パチンコ機等を設置している遊技場において、遊技者が獲得した遊技媒体を、遊技場内に設けられている特殊景品発行装置で特殊景品に交換することがある。このような特殊景品として、価値が異なる複数種類のものが適用され、特殊景品の価値は該特殊景品に設けられている記憶部に価値情報として記憶されている。
【０００３】
遊技媒体から特殊景品への交換は、遊技媒体の数を例えば計数専用機により計数し、計数された遊技媒体の数に応じた価値を算出し、該算出された価値と同一の価値情報が記憶されている特殊景品を特殊景品発行装置から発行して、遊技者に渡している。
【０００４】
特殊景品を受け取った遊技者は、交換品と交換するために遊技場外部の景品交換所に設けられている特殊景品交換装置に特殊景品を投入する。景品交換装置では挿入された特殊景品の記憶部に記憶されている価値情報を読み取り、該読み取った価値情報に応じた交換品を交換品排出口から遊技者へ排出する。
【０００５】
このように遊技媒体数に応じた特殊景品を発行する特殊景品発行装置と、発行された特殊景品を交換品に交換する特殊景品交換装置とを有し、特殊景品の発行や、特殊景品から交換品への交換等を自動化したシステムがある（例えば、特許文献１参照。）。
【特許文献１】特開２００４−１２１４５２号公報
【発明の開示】
【発明が解決しようとする課題】
【０００６】
上記従来の特殊景品処理システムにおいては、正当な所有者が特殊景品を落としたり、あるいは盗まれたりした場合、特殊景品を拾った人、あるいは特殊景品を盗んだ人が特殊景品交換装置に特殊景品を投入すれば特殊景品を交換品と交換することができてしまうという問題点があった。
【０００７】
また特殊景品に記憶されている価値情報が不正に書き換えられた場合であっても、特殊景品を交換品と交換することができてしまう可能性があるという問題点があった。
【課題を解決するための手段】
【０００８】
上記課題を解決するために本発明で設けた解決手段は、遊技場内に設置され、遊技結果に応じた特殊景品を発行する発行装置と、景品交換所に設置され、発行された特殊景品を交換品に交換する交換装置とから構成される特殊景品処理システムにおいて、前記発行装置に設けられ、暗証情報が入力される第１の入力手段と、前記発行装置に設けられ、前記第１の入力手段から入力された暗証情報を、発行する特殊景品に書き込む書き込み手段と、前記交換装置に設けられ、暗証情報が入力される第２の入力手段と、前記交換装置に設けられ、投入された特殊景品に書き込まれた暗証情報を読み取る読み取り手段と、前記交換装置に設けられ、前記第２の入力手段から入力された暗証情報と前記読み取り手段が読み取った暗証情報とを照合し、暗証情報が一致した場合に交換品を排出する制御を行う制御手段とを設けたものである。
【発明の効果】
【０００９】
本発明によれば、交換装置において、第１の入力手段から入力され、特殊景品に書き込まれた暗証情報と、第２の入力手段から入力された暗証情報とを照合し、暗証情報が一致した場合に交換品を排出することにより、正当な所有者だけが特殊景品から交換品への交換を行うことができる。従って、特殊景品を拾った人、あるいは特殊景品を盗んだ人が交換装置に特殊景品を投入しても、特殊景品を交換品と交換することは不可能である。その結果、セキュリティ性を向上させることができる。
【発明を実施するための最良の形態】
【００１０】
以下、本発明の実施例を図面に従って説明する。なお各図面に共通する要素には同一の符号を付す。
【実施例１】
【００１１】
図１は実施例１の特殊景品発行装置を示す斜視図、図２は実施例１の特殊景品交換装置を示す斜視図、図３は実施例１の特殊景品発行装置の構成を示す説明図である。
【００１２】
図１、図２において、特殊景品交換システムは、遊技場内に設けられている特殊景品発行装置１と、遊技場外部の景品交換所に設けられている特殊景品交換装置２とから構成されている。始めにこの特殊景品交換システムで使用される特殊景品について説明する。
【００１３】
特殊景品としては、価値が異なる複数種類のものが適用され、特殊景品の価値は該特殊景品に設けられている記憶部としてのＲＦＩＤ（Ｒａｄｉｏ  Ｆｒｅｑｕｅｎｃｙ  Ｉｄｅｎｔｉｆｉｃａｔｉｏｎ）タグに価値情報として記憶されている。ＲＦＩＤタグは情報の記憶が可能なタグであり、基材と、ＩＣチップと、該ＩＣチップに接続されたアンテナとから構成されている。そしてＩＣチップは後述するＩＤタグリーダライタと通信するための送信部、及び受信部と、データを記憶するためのメモリ部と、電源部とから構成されている。
【００１４】
次に特殊景品発行装置１の構成について説明する。図３に示すように、特殊景品発行装置１には下部に複数のスタッカ３（第１のスタッカ３ａ、第２のスタッカ３ｂ）が設けられており、第１のスタッカ３ａ、第２のスタッカ３ｂには価値別に特殊景品４が収納されている。また装置上部には特殊景品４を装置外部へと発行する景品発行口２５が形成されており、この景品発行口２５から第１のスタッカ３ａ、及び第２のスタッカ３ｂまでは、第１の搬送路５と、第２の搬送路６と、第３の搬送路７で接続されている。そしてそれぞれの搬送路には特殊景品４を搬送するための第１の搬送ローラ対８が複数設けられている。また、第２の搬送路６の途中から、リジェクト搬送路９が分岐して形成されており、該リジェクト搬送路９はリジェクトボックス１０へと接続されている。またリジェクト搬送路９には特殊景品４を搬送するための第２の搬送ローラ対２９が複数設けられている。
【００１５】
第２の搬送路６には、書き込み手段であるＩＤタグリーダライタ１２が設けられている。このＩＤタグリーダライタ１２はコントローラと、該コントローラに接続されたアンテナとから構成されている。そしてＩＤタグリーダライタ１２のアンテナに特殊景品４に設けられたＲＦＩＤタグが近付くと、アンテナからの電波をＲＦＩＤタグのアンテナが受信することにより起電力が発生し、電源部がこの起電力をもとに動作電力を生成する。これによりＩＣチップが動作してＲＦＩＤタグはＩＤタグリーダライタ１２とデータの送受信を行い、ＩＤタグリーダライタ１２からＲＦＩＤタグへのデータの書き込み、及びＲＦＩＤタグからのデータの読み取りが行われる。
【００１６】
また図１に示すように、特殊景品発行装置１の上側筐体面には、係員に知らせるための情報を表示すると共に、係員から装置への情報の入力が行なわれる係員操作部２３と、遊技者に知らせるための情報を表示すると共に、遊技者から装置への情報の入力が行なわれる第１の入力手段である利用客操作部２４とが設けられており、係員操作部２３と利用客操作部２４はそれぞれタッチパネルとＬＣＤを重ねることにより形成されている。また遊技者は利用客操作部２４から暗証情報である暗証番号の入力を行なう。なお、図３に示すように、景品発行口２５には、通常は閉状態であり、遊技者に景品を発行するときに開状態となるシャッター１１が設けられている。
【００１７】
次に上記構成における特殊景品発行装置１の制御系について説明する。図４は実施例１の特殊景品発行装置の制御系を示すブロック図である。
【００１８】
図４において、特殊景品発行装置１には、装置全体を制御する主制御部２６が設けられている。この主制御部２６にはシャッター１１と、ＩＤタグリーダライタ１２と、係員操作部２３と、利用客操作部２４と、記憶部２７と、第１の搬送ローラ対８を駆動する第１のモータ２８と、第２の搬送ローラ対２９を駆動する第２のモータ３０と、第１のスタッカ３ａと、第２のスタッカ３ｂとが接続されており、主制御部２６はそれぞれの部材の動作を制御する。
【００１９】
次に特殊景品交換装置２の構成について説明する。図５は実施例１の特殊景品交換装置の構成を示す説明図である。
【００２０】
図５に示すように、特殊景品交換装置２には下部に複数のスタッカ３１（第１のスタッカ３１ａ、第２のスタッカ３１ｂ、第３のスタッカ３１ｃ、第４のスタッカ３１ｄ、第５のスタッカ３１ｅ）が設けられており、第１のスタッカ３１ａ、第２のスタッカ３１ｂ、第３のスタッカ３１ｃ、第４のスタッカ３１ｄ、第５のスタッカ３１ｅには価値別に特殊景品４が収納される。また図２に示すように装置上部には遊技者が特殊景品４を装置内部へと投入するする景品投入口３２が形成されており、この景品投入口３２から第１のスタッカ３１ａ、第２のスタッカ３１ｂ、第３のスタッカ３１ｃ、第４のスタッカ３１ｄ、第５のスタッカ３１ｅまでは、第１の搬送路３３と、第２の搬送路３４と、第３の搬送路３５で接続されている。そしてそれぞれの搬送路には特殊景品４を搬送するための第１の搬送ローラ対３６が複数設けられている。また、第１の搬送路３３の途中から、第４の搬送路３７が分岐して形成されており、該第４の搬送路３７は、景品投入口３２の下部に設けられた景品返却口３８へと接続されている。また第４の搬送路３７には特殊景品４を搬送するための第２の搬送ローラ対５４が複数設けられている。
【００２１】
第１の搬送路３３には、読み取り手段であるＩＤタグリーダ３９が設けられている。このＩＤタグリーダ３９は特殊景品発行装置１に設けられているＩＤタグリーダライタ１２と同様の構成となっており、特殊景品４から価値情報と暗証番号を読み取る。ＩＤタグリーダ３９の後方には複数枚の特殊景品４を一時貯留することが可能な第１の貯留部４０が形成されている。また第１の搬送路３３の近傍の第２の搬送路３４には、第２の貯留部４１が形成されており、第１の貯留部４０の下部に配置された移送手段４２により、第１の貯留部４０に集積されている特殊景品４を一括して第２の貯留部４１に移送する。
【００２２】
第２の搬送路３４には更に、リジェクトボックス４３と、ＩＤタグリーダ４４が設けられている。なお、ＩＤタグリーダ４４はＩＤタグリーダ３９と同様の構成となっており、特殊景品４をスタッカ３１に収納する前に再度特殊景品４に記憶されている価値情報を読み取り、後述する主制御部へと送信する。そして主制御部はＩＤタグリーダ４４から価値情報を受信すると、該受信した価値情報に応じたスタッカ３１へと特殊景品４を搬送する制御を行う。また、リジェクトボックス４３にはＩＤタグリーダ４４で所定の情報を読み取ることができなかった特殊景品４が集積され、主制御部の指示によりブレード４５をリジェクトボックス４３方向へと切り替え、ＩＤタグリーダ４４から特殊景品４を逆送することで特殊景品４をリジェクトボックス４３へと送り込む。
【００２３】
また図２に示すように、特殊景品交換装置２の筐体正面には、遊技者に知らせるための情報を表示すると共に、遊技者から装置への情報の入力が行なわれる第２の入力手段である利用客操作部４６が設けられており、利用客操作部４６はタッチパネルとＬＣＤを重ねることにより形成されている。また遊技者は利用客操作部４６から暗証番号の入力を行なう。また筐体正面には交換品を発行する交換品発行口４８と、利用者の画像を所定の間隔で撮影するカメラ部４９が設けられている。なお、図５に示すように、景品投入口３２には、通常は閉状態であり、遊技者に景品を発行するときに開状態となるシャッター４７が設けられている。また景品発行口４８にも図示せぬシャッターが設けられている。
【００２４】
また特殊景品交換装置２には、図示せぬ交換品ユニットが設けられている。この交換品ユニットには複数のスタッカが設けられており、それぞれのスタッカには価値別に交換品（例えば、金銭やその他の物品）が収納される。交換品ユニットには上記交換品発行口４８が形成されており、この交換品発行口４８からスタッカまでは搬送路で接続されている。そして搬送路には交換品を搬送するための搬送ローラ対が複数設けられていると共に、情報読み取り部が設けられており、この情報読み取り部で発行前に交換品の価値を読み取り、後述する主制御部が発行する交換品の価値を確認する。
【００２５】
次に上記構成における特殊景品交換装置２の制御系について説明する。図６は実施例１の特殊景品交換装置の制御系を示すブロック図である。
【００２６】
図６において、特殊景品交換装置２には、装置全体を制御する制御手段である主制御部５１が設けられている。この主制御部５１にはシャッター４７と、シャッター６７と、ＩＣタグリーダ３９と、ＩＣタグリーダ４４と、利用客操作部４６と、移送手段４２と、ブレード４５と、カメラ部４９と、記憶部５２と、第１の搬送ローラ対３６を駆動する第１のモータ５３と、第２の搬送ローラ対５４を駆動する第２のモータ５５と、第１の景品スタッカ３１ａと、第２のスタッカ３１ｂと、第３のスタッカ３１ｃと、第４のスタッカ３１ｄと、第５のスタッカ３１ｅとが接続されており、主制御部５１はそれぞれの部材の動作を制御する。
【００２７】
次に上記構成における特殊景品処理システムの動作について説明する。図７は実施例１の特殊景品交換装置の表示画面を示す説明図である。
【００２８】
始めに遊技者は、取得した遊技媒体を例えば計数専用機により計数させる。計数専用機は計数した遊技媒体の数をカードに記憶して発行する。
【００２９】
図１、図２、図３、図４、図５、図６において、遊技者は計数専用機から受け取ったカードを係員に渡す。係員は係員操作部２３から景品の発行を入力し、これにより主制御部２６は景品の発行処理が実行されることを認識する。遊技者はまた利用客操作部２４から遊技者自身が決定した暗証番号の入力を行なう。この暗証番号は主制御部２６へと送信され、主制御部２６は暗証番号を記憶部２７に記憶する。
【００３０】
また係員は、遊技媒体の数が記憶されているカードを特殊景品発行装置１に図示せぬ挿入口から挿入する。主制御部２６は図示せぬ搬送ローラ対を回転させて挿入されたカードを図示せぬ計数情報読み取り部へと搬送し、計数情報読み取り部でカードから遊技媒体の数を読み取る。計数情報読み取り部で読み取られた遊技媒体の数は主制御部２６へと送信され、主制御部２６は遊技媒体の数に応じた価値を算出し、記憶部２７に記憶し、また算出された価値と同一の価値情報が記憶されている特殊景品４を特殊景品発行装置１から排出する動作を開始する。
【００３１】
従って、主制御部２６は第１のモータ２８を駆動して第１の搬送ローラ対８を景品排出方向に回転させると共に、発行する特殊景品４が収納されているスタッカ、今回は第１のスタッカ３ａを駆動し、特殊景品４を１枚第３の搬送路７へと繰出す。繰り出された特殊景品４は第１の搬送ローラ対８により第２の搬送路６を搬送され、ＩＤタグリーダライタ１２に到達する。ＩＤタグリーダライタ１２のアンテナに特殊景品４に設けられたＲＦＩＤタグが近付くと、ＩＤタグリーダライタ１２はＲＦＩＤタグから価値情報を読み取り、また記憶部２７に記憶されている暗証番号をＲＦＩＤタグへ書き込む。なお、主制御部２６はＩＤタグリーダライタ１２が読み取った価値情報に基づき、今回発行すべき価値の特殊景品４がスタッカ３から繰り出されたか否かの確認もまた行う。
【００３２】
特殊景品４は更に第２の搬送路６から第１の搬送路５へと搬送され、景品発行口２５まで搬送される。主制御部２６は特殊景品４が景品発行口２５に到達したことを認識すると、シャッター１１を開状態とする。そして主制御部２６は遊技者が特殊景品４を受け取ったことを認識すると、シャッター１１を閉状態とし、特殊景品４の発行動作を終了する。なお、主制御部２６は記憶部２７に記憶されている暗証番号と価値情報を、特殊景品４の発行終了後消去する。
【００３３】
遊技者は特殊景品４を受領し、景品交換所に移動し、特殊景品交換装置２に到達する。すると、特殊景品交換装置２の筐体正面に設けられた図示せぬ近接センサが遊技者を検知し、遊技者を検知したことが図示せぬ近接センサから主制御部５１に送信される。主制御部５１はこの信号を受信すると利用客操作部４６に景品投入口３２から特殊景品４を投入することを案内する画面を表示させる。また主制御部５１はカメラ部４９の動作を開始させ、例えば利用客操作部４６の左隅に撮影した画像を所定の間隔で表示し、不正な行為を行わないように遊技者に対して警告を行う。また撮影した画像は記憶部５２に記憶しても良い。
【００３４】
遊技者が投入ボタンを押下すると、利用客操作部４６から投入ボタンが押下されたことを示す信号が主制御部５１に送信される。主制御部５１はこの信号を受信するとシャッター４７を開状態とする。またあぢ１のモータ５３を駆動して第１の搬送ローラ対３６を景品受け入れ方向に回転させる。そして主制御部５１は遊技者が特殊景品４を景品投入口３２に投入したことを検知するとシャッター４７を閉状態とし、また第１の搬送ローラ対３６により特殊景品４をＩＤタグリーダ３９へと搬送する。
【００３５】
特殊景品４がＩＤタグリーダ３９に到達すると、ＩＤタグリーダ３９は特殊景品４のＲＦＩＤタグから価値情報と暗証番号を読み取る。該価値情報と暗証番号はＩＤタグリーダ３９から主制御部５１へと送信され、主制御部５１は受信した価値情報と暗証番号を記憶部５２に記憶する。またＩＤタグリーダ３９を通過した特殊景品４は第１の貯留部４０まで搬送してそこで一旦搬送を停止する。
【００３６】
次に主制御部５１は利用客操作部４６に図７に示すように暗証番号を入力させる画面５７を表示させ、遊技者により暗証番号が入力され、確認ボタン５８が押下されると、入力された暗証番号は利用客操作部４６から主制御部５１に送信される。主制御部５１は暗証番号を受信すると記憶部５２に一旦記憶する。
【００３７】
主制御部５１は記憶部５２に記憶されている、遊技者により入力された暗証番号と、特殊景品４から読み取った暗証番号との照合を行う。ここで暗証番号が一致した場合には照合ＯＫと判断し、暗証番号が一致しない場合は、所定回数遊技者に暗証番号の入力を行わせ、所定回数暗証番号の照合を行っても特殊景品４から読み取った暗証番号と遊技者が入力した暗証番号とが一致しない場合には、取引不成立と判断して第１のモータ５３を駆動して第１の搬送ローラ対３６を景品排出方向に回転させて特殊景品４を景品投入口３２まで戻してシャッター４７を開状態とし、遊技者に特殊景品４を返却する。
【００３８】
一方、主制御部５１は暗証番号が一致し、照合ＯＫと判断した場合には、第１の貯留部４０の下部に配置された移送手段４２を駆動して第１の貯留部４０に集積されている特殊景品４を第２の貯留部４１に移送する。そして特殊景品４を第２の搬送路３４に沿って搬送し、特殊景品４がＩＤタグリーダ４４に到達すると、ＩＤタグリーダ４４は特殊景品４のＲＦＩＤタグから再度価値情報を読み取る。該価値情報はＩＤタグリーダ４４から主制御部５１へと送信され、主制御部５１は受信した価値情報に応じたスタッカ３１へと特殊景品４を搬送する制御を行い、対応するスタッカ３１に特殊景品４を収納する。
【００３９】
また主制御部５１は暗証番号が一致し、照合ＯＫと判断すると、記憶部５２に記憶されている特殊景品４の価値情報に応じた交換品を交換品ユニットから発行する動作を開始する。この動作の開始により、図示せぬ交換品ユニットに設けられている複数のスタッカから所定の交換品を搬送路へと繰り出し、搬送ローラ対により交換品を搬送し、情報読み取り部で交換品に記憶されている、該交換品の価値を読み取る。そして読み取った価値情報を主制御部５１へと送信し、主制御部５１で発行する交換品の価値を確認する。そして確認後、更に交換品を搬送し、シャッターを開状態とし、図２に示す交換品発行口４８から交換品を発行する。そして主制御部５１は遊技者が交換品を受け取ったことを認識するとシャッターを閉状態とし、交換品の発行動作を終了する。
【００４０】
以上本発明の実施例１においては、特殊景品発行装置１に設けられた利用客操作部２４から遊技者により入力され、特殊景品４に書き込まれた暗証番号と、特殊景品交換装置２に設けられた利用客操作部４６から遊技者により入力された暗証番号が一致した場合に特殊景品交換装置２から交換品を排出することにより、正当な所有者だけが特殊景品４から交換品への交換を行うことができる。従って、特殊景品４を拾った人、あるいは特殊景品４を盗んだ人が特殊景品交換装置２に特殊景品４を挿入しても、特殊景品４を交換品と交換することは不可能である。その結果、セキュリティ性を向上させることができる。
【実施例２】
【００４１】
次に本発明の実施例２について説明する。なお、上記実施例１と同様の箇所には同一符号を付し、説明は省略する。図８は実施例２の特殊景品発行装置を示す斜視図、図９は実施例２の特殊景品交換装置を示す斜視図、図１０は実施例２の特殊景品発行装置の構成を示す説明図である。
【００４２】
図８、図９において、本実施例２の景品交換システムにおいては、特殊景品発行装置６１が実施例１の特殊景品発行装置１に加えて更に媒体記録手段である図示せぬレシート発行ユニットを備えており、特殊景品交換装置６２が実施例１の特殊景品交換装置２に加えて更に図示せぬレシート読み取りユニットを備えている。
【００４３】
特殊景品発行装置６１に設けられているレシート発行ユニットには、連続用紙となっているレシートを装填するレシート装填部が設けられている。レシート発行ユニットにはまた、図８に示すように特殊景品発行装置６１の上側筐体面に対応する位置にレシート発行口６３が形成されており、このレシート発行口６３からレシート装填部までは搬送路で接続されている。そして搬送路にはレシートを搬送するための搬送ローラ対が複数設けられていると共に、バーコード化された暗証番号をレシートに印字する印字部と、レシートを所定の大きさに切断する切断手段が設けられており、印字部では主制御部２６からバーコード化されて送信されてくる暗証番号をレシートに印字する。
【００４４】
また図１０において、特殊景品発行装置６１に設けられているＩＤタグリーダ６４は実施例１のＩＤタグリーダライタ１２と同様の構成であるが、価値情報を読み取るのみであり、暗証番号の記憶は行わない。
【００４５】
また特殊景品交換装置６２に設けられているレシート読み取りユニットには、遊技者により挿入されたレシートを集積するレシート集積部が設けられている。レシート読み取りユニットにはまた、図９に示すように特殊景品交換装置６２の上側筐体面に対応する位置にレシート挿入口６６が形成されており、このレシート挿入口６６からレシート集積部までは搬送路で接続されている。そして搬送路にはレシートを搬送するための搬送ローラ対が複数設けられていると共に、レシートに印字されているバーコードを読み取る第２の読み取り手段であるバーコード読み取り部が設けられており、該バーコード読み取り部で読み取られたバーコードは主制御部５１に送信され、主制御部５１は暗証番号と価値情報を認識する。
【００４６】
次に上記構成における特殊景品発行装置６１の制御系について説明する。図１１は実施例２の特殊景品発行装置の制御系を示すブロック図である。
【００４７】
図１１において、主制御部２６には実施例１の部材に加えて更に、レシート発行ユニットのレシート発行口６３に設けられているシャッター６７と、レシート発行ユニットに設けられている搬送ローラ対６８を駆動するモータ６９と、レシート装填部からレシートを繰り出すレシート繰り出し手段７０を駆動するモータ７１と、レシート発行ユニットに設けられている印字部７２と、レシート発行ユニットに設けられている切断手段７３が接続されており、また、実施例１のＩＤタグリーダライタ１２の代わりにＩＤタグリーダ６４が接続されており、主制御部２６はそれぞれの部材の動作を制御する。
【００４８】
次に上記構成における特殊景品交換装置６２の制御系について説明する。図１２は実施例２の特殊景品発行装置の制御系を示すブロック図である。
【００４９】
図１２において、主制御部５１には実施例１の部材に加えて更に、レシート読み取りユニットのレシート挿入口６６に設けられているシャッター７４と、レシート読み取りユニットに設けられている搬送ローラ対７５を駆動するモータ７６と、バーコード読み取り部７７とが接続されており、主制御部５１はそれぞれの部材の動作を制御する。
【００５０】
その他の構成は上記実施例１の特殊景品発行装置１と特殊景品交換装置２と同様であるので説明は省略する。
【００５１】
次に上記構成における特殊景品処理システムの動作について説明する。
図８、図９、図１０、図１１、図１２において、始めに遊技者は、取得した遊技媒体を例えば計数専用機により計数させる。計数専用機は計数した遊技媒体の数をカードに記憶して発行する。
【００５２】
遊技者は計数専用機から受け取ったカードを係員に渡す。係員は係員操作部２３から景品の発行を入力し、これにより主制御部２６は景品の発行処理が実行されることを認識する。遊技者はまた利用客操作部２４から遊技者自身が決定した暗証番号の入力を行なう。この暗証番号は主制御部２６へと送信され、主制御部２６は暗証番号を記憶部２７に記憶する。
【００５３】
また係員は、遊技媒体の数が記憶されているカードを特殊景品発行装置６１に図示せぬ挿入口から挿入する。主制御部２６は図示せぬ搬送ローラ対を回転させて挿入されたカードを図示せぬ計数情報読み取り部へと搬送し、計数情報読み取り部でカードから遊技媒体の数を読み取る。計数情報読み取り部で読み取られた遊技媒体の数は主制御部２６へと送信され、主制御部２６は遊技媒体の数に応じた価値を算出し、記憶部２７に記憶し、また算出された価値と同一の価値情報が記憶されている特殊景品を特殊景品発行装置６１から排出する動作を開始する。
【００５４】
従って、主制御部２６は第１のモータ２８を駆動して第１の搬送ローラ対８を景品排出方向に回転させると共に、発行する特殊景品４が収納されているスタッカ、今回は第１のスタッカ３ａを駆動し、特殊景品４を１枚第３の搬送路７へと繰出す。繰り出された特殊景品４は搬送ローラ対８により第２の搬送路６を搬送され、ＩＤタグリーダ６４に到達する。ＩＤタグリーダ６４はＲＦＩＤタグから価値情報を読み取り、今回発行すべき価値の特殊景品４がスタッカ３から繰り出されたか否かの確認を行う。
【００５５】
特殊景品４は更に第２の搬送路６から第１の搬送路５へと搬送され、景品発行口２５まで搬送される。主制御部２６は特殊景品４が景品発行口２５に到達したことを認識すると、シャッター１１を開状態とする。そして主制御部２６は遊技者が特殊景品４を受け取ったことを認識すると、シャッター１１を閉状態とし、特殊景品４の発行動作を終了する。
【００５６】
主制御部２６はまた特殊景品４を発行する動作と同時に、レシート発行ユニットにレシートを発行する動作を行わせる。そのため主制御部２６は記憶部２７に記憶されている暗証番号をバーコード化し、またレシート発行ユニットに設けられているレシート繰り出し手段７０を駆動すると共にモータ６９を駆動して搬送ローラ対６８をレシート排出方向に回転させて、レシートを搬送する。そしてレシートの印字位置が印字部７２に到達すると、バーコード化した暗証番号と今回発行する特殊景品４の価値情報を印字部７２でレシートに印字する。そして切断手段７３で連続紙となっているレシートを所定の大きさに切断し、レシート発行口６３に設けられているシャッター６７を開状態とし、レシート発行口６３から装置外へと排出する。なお、主制御部２６は記憶部２７に記憶されている暗証番号と価値情報を、特殊景品４の発行終了後消去する。
【００５７】
遊技者は特殊景品４とレシートを受領し、景品交換所に移動し、特殊景品交換装置６２に到達する。すると、特殊景品交換装置６２の筐体正面に設けられた図示せぬ近接センサが遊技者を検知し、遊技者を検知したことが図示せぬ近接センサから主制御部５１に送信される。主制御部５１はこの信号を受信すると利用客操作部４６に景品投入口３２から特殊景品４を投入することを案内する画面を表示させる。また主制御部５１はカメラ部４９の動作を開始させ、例えば利用客操作部４６の左隅に撮影した画像を所定の間隔で表示し、不正な行為を行わないように遊技者に対して警告を行う。また撮影した画像は記憶部５２に記憶しても良い。
【００５８】
遊技者が投入ボタンを押下すると、利用客操作部４６から投入ボタンが押下されたことを示す信号が主制御部５１に送信される。主制御部５１はこの信号を受信すると図５に示すシャッター４７を開状態とする。また第１のモータ５３を駆動して第１の搬送ローラ対３６を景品受け入れ方向に回転させる。そして主制御部５１は遊技者が特殊景品４を景品投入口３２に投入したことを検知するとシャッター４７を閉状態とし、また第１の搬送ローラ対３６により特殊景品４をＩＤタグリーダ３９へと搬送する。
【００５９】
特殊景品４が第１の読み取り手段であるＩＤタグリーダ３９に到達すると、ＩＤタグリーダ３９は特殊景品４のＲＦＩＤタグから価値情報を読み取る。該価値情報はＩＤタグリーダ３９から主制御部５１へと送信され、主制御部５１は受信した価値情報を記憶部５２に記憶する。またＩＤタグリーダ３９を通過した特殊景品４は第１の貯留部４０まで搬送してそこで一旦搬送を停止する。
【００６０】
次に主制御部５１は利用客操作部４６にレシート挿入口６６からレシートを挿入することを案内する画面を表示させる。遊技者が利用客操作部４６に表示されている挿入ボタンを押下すると、利用客操作部４６から挿入ボタンが押下されたことを示す信号が主制御部５１に送信される。主制御部５１はこの信号を受信すると、シャッター７４を開状態とする。またモータ７６を駆動して搬送ローラ対７５をレシート受け入れ方向に回転させる。そして遊技者がレシートをレシート挿入口６６に挿入したことを検知すると、シャッター７４を閉状態とし、また搬送ローラ対７５によりレシートをバーコード読み取り部７７へと搬送する。そしてバーコード読み取り部７７でレシートに印字されているバーコードを読み取り、主制御部５１に送信する。これにより主制御部５１は暗証番号と価値情報を認識する。そしてこの暗証番号と価値情報を記憶部５２に一旦記憶する。
【００６１】
次に主制御部５１は利用客操作部４６に暗証番号を入力させる画面を表示させ、遊技者により入力された暗証番号は利用客操作部４６から主制御部５１に送信される。主制御部５１は暗証番号を受信すると記憶部５２に一旦記憶する。
【００６２】
主制御部５１は記憶部５２に記憶されている、遊技者により入力された暗証番号と、レシートから読み取った暗証番号との照合を行うと共に、特殊景品４から読み取った価値情報と、レシートから読み取った価値情報との照合を行う。ここで暗証番号が一致すると共に価値情報もまた一致した場合には照合ＯＫと判断し、暗証番号が一致しない場合には、所定回数遊技者に暗証番号の入力を行わせ、所定回数暗証番号の照合を行ってもレシートから読み取った暗証番号と遊技者が入力した暗証番号とが一致しない場合には、取引不成立と判断し、あるいは価値情報が一致しない、更には暗証番号と、価値情報のどちらも一致しない場合にもまた、取引不成立と判断して第１のモータ５３を駆動して第１の搬送ローラ対３６を景品排出方向に回転させて特殊景品４を景品投入口３２まで戻してシャッター４７を開状態とし、遊技者に特殊景品４を返却する。
【００６３】
一方、主制御部５１は暗証番号が一致すると共に価値情報もまた一致した場合には照合ＯＫと判断し、第１の貯留部４０の下部に配置された移送手段４２を駆動して第１の貯留部４０に集積されている特殊景品４を第２の貯留部４１に移送する。そして特殊景品４を第２の搬送路３４に沿って搬送し、特殊景品４がＩＤタグリーダ４４に到達すると、ＩＤタグリーダ４４は特殊景品４のＲＦＩＤタグから再度価値情報を読み取る。該価値情報はＩＤタグリーダ４４から主制御部５１へと送信され、主制御部５１は受信した価値情報に応じたスタッカ３１へと特殊景品４を搬送する制御を行い、対応するスタッカ３１に特殊景品４を収納する。
【００６４】
また主制御部５１は暗証番号が一致すると共に価値情報もまた一致し、照合ＯＫと判断すると、記憶部５２に記憶されている特殊景品４の価値情報に応じた交換品を交換品ユニットから発行する動作を開始する。この動作の開始により、図示せぬ交換品ユニットに設けられている複数のスタッカから所定の交換品を搬送路へと繰り出し、搬送ローラ対により交換品を搬送し、情報読み取り部で交換品に記憶されている、該交換品の価値を読み取る。そして読み取った価値情報を主制御部５１へと送信し、主制御部５１で発行する交換品の価値を確認する。そして確認後、更に交換品を搬送し、シャッターを開状態とし、図９に示す交換品発行口３８から交換品を発行する。そして主制御部５１は遊技者が交換品を受け取ったことを認識するとシャッターを閉状態とし、交換品の発行動作を終了する。
【００６５】
以上本発明の実施例２においては、特殊景品発行装置６１に設けられた利用客操作部２４から遊技者により入力され、特殊景品４に書き込まれた暗証番号と、特殊景品交換装置６２に設けられた利用客操作部４６から遊技者により入力された暗証番号が一致すると共に、特殊景品４に記憶されている価値情報と、レシートに印字されている価値情報が一致した場合に特殊景品交換装置６２から特殊景品４から交換品を排出することにより、正当な所有者だけが特殊景品４から交換品への交換を行うことができる。従って、特殊景品４を拾った人、あるいは特殊景品４を盗んだ人が特殊景品交換装置６２に特殊景品４を挿入しても、特殊景品４を交換品と交換することは不可能である。その結果、実施例１と同様にセキュリティ性を向上させることができる。
【００６６】
また、特殊景品４に記憶されている価値情報と、レシートに印字されている価値情報が一致しないと特殊景品４から交換品への交換を行わないので、特殊景品４に記憶されている価値情報が不正に書き換えられて、レシートに印字されている価値情報と一致しない場合には特殊景品４を交換品と交換することができない。その結果、更にセキュリティ性を向上させることができる。
【図面の簡単な説明】
【００６７】
【図１】実施例１の特殊景品発行装置を示す斜視図である。
【図２】実施例１の特殊景品交換装置を示す斜視図である。
【図３】実施例１の特殊景品発行装置の構成を示す説明図である。
【図４】実施例１の特殊景品発行装置の制御系を示すブロック図である。
【図５】実施例１の特殊景品交換装置の構成を示す説明図である。
【図６】実施例１の特殊景品交換装置の制御系を示すブロック図である。
【図７】実施例１の特殊景品交換装置の表示画面を示す説明図である。
【図８】実施例２の特殊景品発行装置を示す斜視図である。
【図９】実施例２の特殊景品交換装置を示す斜視図である。
【図１０】実施例２の特殊景品発行装置の構成を示す説明図である。
【図１１】実施例２の特殊景品発行装置の制御系を示すブロック図である。
【図１２】実施例２の特殊景品発行装置の制御系を示すブロック図である。
【符号の説明】
【００６８】
１  特殊景品発行装置
２  特殊景品交換装置
４  特殊景品
１２  ＩＤタグリーダライタ
２４  利用客操作部
３９  ＩＤタグリーダ
４６  利用客操作部
６１  特殊景品発行装置
６２  特殊景品交換装置
７７  バーコード読み取り部
【図１】
2006204363.tif 000003
【図２】
2006204363.tif 000004
【図３】
2006204363.tif 000005
【図４】
2006204363.tif 000006
【図５】
2006204363.tif 000007
【図６】
2006204363.tif 000008
【図７】
2006204363.tif 000009
【図８】
2006204363.tif 000010
【図９】
2006204363.tif 000011
【図１０】
2006204363.tif 000012
【図１１】
2006204363.tif 000013
【図１２】
2006204363.tif 000014